Podtech/llm-jp-corpus-v4-ja_patent huggingface dataset:
(57)【要約】【課題】  頭上に乗せる道具を使い、体の均衡感覚を養い、体の姿勢を良くして、頭の集中力を鍛えることができ、尚且つ楽しく遊ぶ事ができる、知育具、養育具、または玩具はないものか。【解決手段】  皿体は、上下二枚の皿を持ち、上下二枚の皿は頭上に乗せられるように適度に湾曲しており、皿体を頭上に乗せ、上皿にボールを置き、落とさないようにすることで、集中力を養育することができる。また、皿体を頭上に乗せ、上皿に積み木を積み上げて行くことにより、積み木ゲームを楽しむことができる。【選択図】  図２
2005040549.tif 000002
【特許請求の範囲】
【請求項１】
頭上に乗せ使用する皿体で、皿体上に物体を乗せることにより体の均衡感覚を養うことができる。皿体自体の色、形、模様、材質、大きさなどを特に限定するものではないが、二枚の皿の底中心部分が重なり合った形をした上下二枚の皿を持ち、上下二枚の皿は頭上に乗せられるように適度に湾曲しており、上下二枚の皿の直径は５ｍｍ〜３００ｍｍの大きさで、蔕などの蕚をつけた場合、上下二枚の皿の直径は５ｍｍ〜５００ｍｍの大きさのゴム製、樹脂製、合成樹脂製、または木製などさまざまな材料で作ることができる。皿体を頭上に乗せ、上皿にはゴム製、樹脂製、合成樹脂製、または木製で作られた直径５ｍｍ〜３００ｍｍの大きさのボールを置き、落とさないように気をつけながら勉強などの動作を行うことにより、体の姿勢を良くして、集中力を養育することができる。また、皿体を頭上に乗せ、上皿にはゴム製、樹脂製、合成樹脂製、または木製で作られた色々な形をした、高さ、幅、奥行き、共に１ｍｍ〜３００ｍｍの大きさの積み木を積み上げて行くことにより、積み木ゲームを楽しむことができることを特徴とする頭の集中力を鍛えるカッパのお皿。
【請求項２】
頭上に乗せ使用する皿体で、皿体内部に電子機器を搭載する場合は、電子ブザーまたは、音声などによる体の姿勢が悪いことを知らせる機能がつき、体の均衡感覚を養うことができることを特徴とする請求項１記載の頭の集中力を鍛えるカッパのお皿。
【発明の詳細な説明】
【発明の詳細な説明】
【技術分野】
【０００１】  本発明は知育具、養育具、または玩具であり、頭上に乗せ使用する皿体で、皿体上に物体を乗せたり、皿体内部に電子機器を搭載し、体の均衡感覚を養うことができる頭の集中力を鍛えるカッパのお皿に関する。
【背景技術】
【０００２】  従来の技術は、色々な積み木遊びがある（例えば、特許文献１、または特許文献２参照）。以下、図８と図６により従来の積み木について説明する。図８を見ると確かに数を数えるのには都合がいいし、図６を見ると一定のルールの下でブロック積み木遊びを行うことができる。
【特許文献１】特開平１０−２４１７４号公報（第７頁、図８）
【特許文献２】特表２００３−５１９５４４号公報（第２３頁、図６）
【発明が解決しようとする課題】
【０００３】  しかしながら、頭上に乗せる道具を使い、体の姿勢を良くして、頭の集中力を鍛えることができ、尚且つ楽しく遊ぶことができる知育具、養育具、または玩具はないものだろうか。
【課題を解決するための手段】
【０００４】  上記の目的を達成するために、本発明である、頭の集中力を鍛えるカッパのお皿は、頭上に乗せ使用する皿体で、皿体上に物体を乗せることにより体の均衡感覚を養うことができる。皿体自体の色、形、模様、材質、大きさなどを特に限定するものではないが、二枚の皿の底中心部分が重なり合った形をした上下二枚の皿を持ち、上下二枚の皿は頭上に乗せられるように適度に湾曲しており、上下二枚の皿の直径は５ｍｍ〜３００ｍｍの大きさで、蔕などの蕚をつけた場合、上下二枚の皿の直径は５ｍｍ〜５００ｍｍの大きさのゴ厶製、樹脂製、合成樹脂製、または木製などさまざまな材料で作ることができる。
【０００５】  本発明の、頭の集中力を鍛えるカッパのお皿を頭上に乗せ、上皿にはゴム製、樹脂製、合成樹脂製、または木製で作られた直径５ｍｍ〜３００ｍｍの大きさのボールを置き、落とさないように気をつけながら勉強などの動作を行うことで、体の姿勢を良くして、集中力を養育することができる。
【０００６】  また、本発明の、頭の集中力を鍛えるカッパのお皿を頭上に乗せ、上皿にはゴム製、樹脂製、合成樹脂製、または木製で作られた色々な形をした、高さ、幅、奥行き、共に１ｍｍから３００ｍｍの大きさの積み木を積み上げて行くことにより、積み木ゲームを楽しむことができる。
【０００７】  尚本発明の、頭の集中力を鍛えるカッパのお皿は直径３０ｍｍ〜１５０ｍｍ前後の大きさが適当であり、ボールの大きさは直径３０ｍｍ〜１００ｍｍ前後の大きさが適当であり、積み木の大きさは高さ、幅、奥行き共に１０ｍｍ〜１００ｍｍ前後の大きさが適当である。
【０００８】  また、本発明は、頭上に乗せ使用する皿体で、皿体内部に電子機器を搭載することも考えられる。その場合は、電子ブザーまたは、音声などによる体の姿勢が悪いことを知らせる機能がつき、体の均衡感覚を養う事ができることを特徴とする簡素な身なりをした頭の集中力を鍛えるカッパのお皿である。
【発明を実施するための最良の形態】
【０００９】  図１と図２と図３は、本発明の頭の集中力を鍛えるカッパのお皿において皿体の一つの例として最良な実施の形態を示し、図１はボールを用いた状態であり、図２は積み木を用いた状態を表し、図３は上から見た平面図である。また、皿体内部に電子機器を搭載するものについては特に図は示さず。以下、頭の集中力を鍛えるカッパのお皿を説明する。【００１０】  図１は図３Ａの側面断面図で、皿体下部１と皿体上部２は、それぞれ頭上に乗せられるように適度に湾曲しており、皿体下部１は頭上側に用い、皿体上部２をボール３側に用いる。あるいは、皿体下部１をボール３側に用いたり、皿体上部２を頭上側に用いたりしても良い。皿体上部２にボール３を置き、落とさないように気をつけながら勉強などの動作を行うことにより、体の姿勢を良くして、集中力を養育することができる。【００１１】  図２は図３Ａの側面断面図で、皿体下部１を頭上側に用いて、皿体上部２には積み木４を落とさないように積み上げて行く。皿体上部２は適度に湾曲しているので、積み木４を積み上げることがなかなか難しいものである。
【発明の効果】
【００１２】  以上説明したように、本発明の頭の集中力を鍛えるカッパのお皿は、簡素な身なりをしていて実に愉快で、積み木本来の利用法に加えて頭上で行うといった具合に家族皆でゲームを楽しむことができる。しかも、ボールを置いたまま勉強などの動作を行い、落とさないように気をつけることで、体の均衡感覚、または集中力を養い、体の姿勢をも良くする、頭の集中力を鍛えるカッパのお皿を提供することができる。
【図面の簡単な説明】
【図１】本発明の頭の集中力を鍛えるカッパのお皿のボールを用いた側面断面図である。
【図２】本発明の頭の集中力を鍛えるカッパのお皿の積み木を用いた側面断面図である。
【図３】本発明の頭の集中力を鍛えるカッパのお皿の上から見た平面図である。
【符号の説明】
１  皿体下部
２  皿体上部
３  ボール
４  積み木
【図１】
2005040549.tif 000003
【図２】
2005040549.tif 000004
【図３】
2005040549.tif 000005
(57)【要約】      （修正有）【課題】  茶こしを使うと、注がれたお茶は茶こしの底全体からしたたり落ちる為、口径の小さな水筒やペットボトルなどには直接入れることが出来ない。今までは一旦口径の大きな他の容器にお茶を漉して入れ、再度水筒等に移し替えていた。この作業は容器も汚れ手間も無駄であった。そこで、茶こしを使いながら直接口径の小さな容器に飲み物を入れることが出来る漏斗を提供する。【解決手段】  漏斗に溝付きの取っ手３を設ける事及び漏斗に茶こしアタッチメント８を取り付ける事により課題を解決する。前者はその溝４に茶こし６の取っ手７をはめ込んで使用する。溝４があると茶こし６と漏斗の両方を片手でしっかりと持つことが出来る。もう一方の手で急須などからお茶を注ぐと口径の小さなペットボトルなどにもお茶を漉しながらこぼさずに注ぎ入れる事ができる。後者は漏斗本体１に茶こしアタッチメント８を係合して用いる。【選択図】  図１
2005040545.tif 000002
【特許請求の範囲】
【請求項１】
取っ手（３）を備える漏斗であってその取っ手（３）に茶こし（６）の取っ手（７）が納まる大きさの溝（４）を有することを特徴とする漏斗。
【請求項２】
取っ手（３）を備える漏斗であって茶こし様の網あるいはパンチング等を用いた取り外しの出来るアタッチメントを備える事を特徴とする漏斗。
【発明の詳細な説明】
【発明の詳細な説明】
【技術分野】
【０００１】  この発明は、漏斗に関するものである。
【背景技術】
【０００２】  ペットボトル（１１）のネジに合わせて漏斗側にもネジを切る事により、手で持たなくても固定できる漏斗の発明が出願されている。（実願２００２−２２３４）
【発明が解決しようとする課題】
【０００３】  小さな口径の水筒やペットボトル（１１）に茶殻を除きながら飲み物を移し替える時、一旦茶こし（６）で濾して他の容器に入れてから再度漏斗などを用いて移し替える必要があった。茶こし（６）を通ると茶殻があるために茶こし（６）の底全体から飲み物がしたたり落ちることになるので、茶こし（６）を通った飲み物を直接ペットボトル（１１）などに注ぐことは無理だからである。
【０００４】  しかしながら、漏斗をペットボトル（１１）などの口に差し込んでも不安定であるし、漏斗と茶こし（６）を同時に片手で持つことは難しい。ペットボトル（１１）にネジで固定する方法では、ペットボトル（１１）以外には使えないという欠点がある。またネジで固定するのも作業としては面倒である。
【０００５】  本発明では、茶殻を漉しながら直接目的の容器に移し替える事が出来る漏斗を提供する。
【課題を解決するための手段】
【０００６】  漏斗に取手を付けて既存の茶こし（６）と組み合わせる事、又は漏斗に茶殻などを漉す事が出来る網を設ける事を解決手段とする。
【発明を実施するための最良の形態】
【０００７】  ここでは、取っ手（３）を付けた実施例１及び茶こしアタッチメントを有する実施例２〜４について説明する。この漏斗は、碗状に形成された本体（１）と、本体（１）の底部に形成された細管（２）と、本体上部端からほぼ水平に伸びた取っ手（３）からなる。【０００８】  実施例１は取手に溝（４）を付け、茶こし（６）の取手をその中に入れて既存の茶こし（６）と漏斗を組み合わせて用いる。溝（４）の大きさは多くの茶こし（６）の取っ手（７）が入る程度で、幅１．８ｃｍ〜２．５ｃｍ、長さ８ｃｍ〜１２ｃｍ、最も深いところの深さ０．５ｃｍ〜１．５ｃｍ程度になろう。【０００８】  取っ手（３）の溝（４）には、茶こし（６）の取っ手（７）を納めることが出来る。溝（４）は樋状であるが、端は閉じずに開口させると取っ手（７）の長い茶こし（６）にも使うことが出来る（図１）。溝（４）の形状は本体近くで末広状に広がる様にすると良い。多くの茶こし（６）の取っ手（７）も茶こし（６）本体側に向かって末広がりの形状を持つのでそれらの茶こし（６）に対応するためである。この樋状の溝（４）を本体から離れるに従って浅くし、本体から最も遠い位置ではほぼ平坦になる形状でも良い。（図２）【０００９】  実施例２は漏斗に茶こしアタッチメント（８）を付けはずし出来る様にする。漏斗の細管（２）近くに網を固定する方法もあるが、網の面積が小さいとすぐに茶殻がつまって茶が細管から流れ出るのに時間がかかってしまう。ここでは、屈曲位置（５）までは漏斗内側に添う形の茶こしアタッチメント８をセットとして用いている。屈曲位置（５）以下の部分には漏斗との間に空間があるのでお茶が流れ出やすい（図３）。【００１０】  実施例３では、漏斗本体（１）の直径より大きな直径を持つ茶こしアタッチメント（９）を漏斗本体（１）の上に置いて使用する。形状は、半球形というよりは朝顔型に近いので、使える漏斗の大きさに幅があり、アタッチメントだけを既存の漏斗に用いることも出来る。【００１１】  実施例４の茶こしアタッチメント（１０）は丸い網である。これを漏斗下部の屈曲位置（５）に落とし込んで用いる（図５）。この方法だと網も漏斗本体も取り外したり洗浄したりしやすく清潔でシンプル、且つ美しい。【００１２】  いずれの実施例の場合にも漏斗本体（１）の取っ手（３）とは反対側の位置に材料の厚みを増したり突起を付けたりすると良い。取っ手（３）の重量とバランスを取るためである。又もともと漏斗の本体の形状は重量が上部に集中しやすいので、細管付近に重量を与えて重心を下げると平らな場所に置いても倒れにくく出来る。
【発明の効果】
【００１３】１．ペットボトル（１１）を家庭や学校で水筒代わりに再利用する際に、茶殻を除きながらこぼさずに簡単にお茶を移し替えることが出来る。
２．朝の忙しい時間にお茶を入れることが億劫でなくなる。
３．お茶だけでなく果実酒などを漉したい場合にも役に立つ。
４．茶こしアタッチメントは取り外しが出来、清潔を保ちやすい。
【図面の簡単な説明】  使用法を示す為の斜視図は分かりやすくするため、茶こし（６）を漏斗にセットする直前の、茶こしが少し宙に浮いた状態の図とした。【図１】（ａ）実施例１の使用法を示す斜視図（ｂ）実施例１の使用状態を示す断面図。
【図２】実施例１の取っ手（３）端を平坦にした例の斜視図
【図３】（ａ）実施例２使用法を示す斜視図（ｂ）実施例２使用状態を示す断面図
【図４】（ａ）実施例３使用法を示す斜視図（ｂ）実施例３使用状態を示す断面図
【図５】（ａ）実施例４使用法を示す斜視図（ｂ）実施例４使用状態を示す断面図
【符号の説明】
１．漏斗本体
２．細管
３．漏斗取っ手
４．溝
５．屈曲位置
６．茶こし
７．茶こし取っ手
８．茶こしアタッチメント１
９．茶こしアタッチメント２
１０．茶こしアタッチメント３
１１．ペットボトル
１２．つり下げ用穴
【図１】
2005040545.tif 000003
【図２】
2005040545.tif 000004
【図３】
2005040545.tif 000005
【図４】
2005040545.tif 000006
【図５】
2005040545.tif 000007
(57)【要約】［課題］本発明は  料理・食事の途中等にお玉を置く為の容器である。通常はふたの上に置くと、安定が悪く  お皿にのせるとほこり、虫等で不潔なため衛生面から考えて出来た容器です。［手段］お玉を入れる本体（１）を、ふたの側面（４）に  お玉の柄の幅位の切り欠き部（切り口）（３）を設ける。本体（１）とふた（２）は貝のように接合し、お玉をいれ  ふたをする。【選択図】図１
2005040546.tif 000002
【特許請求の範囲】
【請求項１】
お玉を入れる容器本体（１）の素材はポリプロプレン等出来ている。そして  お玉を入れても本体（１）が安定し  ほこり等の汚れから守るお玉入れの容器。お玉の柄の幅位をふたの側面（４）に、切り欠き部（切り口）（３）を作り本体（１）にお玉を入れ、ふた（２）をし保存する。
【請求項２】
ふた（２）は、本体（１）と貝のように一部接合し  お玉を入れたら  簡単にふた（２）が出来る。請求項１記載のお玉入れの容器。
【発明の詳細な説明】
【発明の詳細な説明】
［発明の属する技術分野］
【０００１】  この発明は料理をする時、又器に盛る時等にお玉を使用し、料理・食事の途中などに  お玉を置く所に関するものである。［従来の技術］
【０００２】  従来、鍋のふたの上にのせたり、お皿の上にのせたりしていた。［発明が解決しようとする課題］
【０００４】  料理・食事の途中等  お玉を置く所に次ぎの問題点があった。核家族が多くなった今日、小さな鍋を使用する機会が多くなり  ふたの上においても  お玉がころげ落ち安定が悪い。また  お玉をお皿などに置くとほこり  虫等により衛生面もよくない。本発明はこれらの問題を解決するためになさせたものである。  ［課題を解決する手段］
【０００５】  ＜イ＞お玉を入れる本体（１）とふた（２）の素材はポリプロピレン等作られ、お玉を入れても安定している。  ＜ロ＞ふたの側面（４）に  お玉の柄が入る大きさ（幅）に切る（３）  ＜ハ＞本体（１）にお玉を入れ  ふた（２）をし、切り欠き部（切り口）（３）からお玉の柄を出し  保管する。本発明は以上の構成からなるので、なべのふたを汚さず  又ほこり等から守られる容器である。［発明の実施の形態］
【０００６】  以下  本発明の実施の形態を説明する  ＜イ＞ポリプロプレン等からなる本体（１）はお玉を入れても安定している。又ゴージャスにステンレスで貝のような型にする。  ＜ロ＞本体（１）にお玉を入れ  ふた（２）をし切り欠き部（切り口）（３）からお玉の柄を出す。本発明は以上の構成よりなる。［発明の効果］
【０００７】  本発明を使用する事により  お玉をなべの上に置いたり、お皿にのせたりし汚れから守る。
【図面の簡単な説明】
【図１】本発明の斜視図
【図２】本発明のふたを開けた図面
【符号の説明】
（１）本体、（２）ふた、（３）切り欠き部（切り口）、（４）ふたの側面、（５）お玉、（６）吊り孔
【図１】
2005040546.tif 000003
【図２】
2005040546.tif 000004
(57)【要約】【課題】使用済み爪楊枝は、割り箸と同様に木材などを原料とする再生可能資源であるにもかかわらず、割り箸などに比較し分別回収され資源として再利用されること少ないだけでなく、残飯などに混入し残飯の家畜飼料への再利用をも妨げるものであった。【解決手段】本発明は、爪楊枝の握り部分に紙あるいはセロファンなどによるテープを巻き、爪楊枝の使用後はこのテープの粘着部分を割り箸などに接着することにより爪楊枝の再生可能資源として利用するための分別回収を容易にするものである。また、上記の紙あるいはセロファンなどによるテープの爪楊枝に直接に接する部分は、固定接着するものでなく、可動するものとし、爪楊枝の使用後は、テープを先端部分つまり汚れた部分にスライドすることができるものとし、爪楊枝の使用し汚れた部分を覆い隠すことができるものとし、割り箸などにテープ部分を巻き付けることにより割り箸と爪楊枝とを接着固定することができ、これにより使用済みの爪楊枝の不潔感を大幅に軽減するものである。【選択図】    図１
2005040542.tif 000002
【特許請求の範囲】
【請求項１】
爪楊枝の握り部分に紙あるいはセロファンなどによるテープを巻き、爪楊枝の使用後はこのテープを広げ粘着部分を割り箸などに接着することにより爪楊枝の再生可能資源の利用のための分別回収を容易にするものである。
【請求項２】
上記の紙あるいはセロファンなどによるテープの爪楊枝に直接接する部分は、固定接着するものでなく、可動するものとし、爪楊枝の使用後は、テープを先端部分つまり汚れた部分にスライドすることができるものとし、爪楊枝の使用し汚れた部分を覆い隠すことができ、割り箸などにテープ部分を巻き付けることにより割り箸と爪楊枝とを接着固定することができるものである。
【発明の詳細な説明】
【発明の詳細な説明】
【技術分野】
【０００１】この発明は、使用済みの爪楊枝を割り箸などに接着固定することにより、再生可能資源としての分別回収を容易にする装置である。
【背景技術】
【０００２】従来、爪楊枝は短小性から、再生可能資源として再利用することに十分な技術的対応がなされていなかった。
【発明が解決しようとする問題】
【０００３】使用済み爪楊枝は、割り箸と同様に木材などを原料とする再生可能資源であるにもかかわらず、割り箸などに比較し分別収集され資源として再利用されること少ないだけでなく、残飯などに混入し残飯の家畜飼料などへの再利用を妨げるものであった。
【課題を解決する手段】
【０００４】  及び
【発明を実施するための最良の形態】
【０００５】本発明は、爪楊枝の握り部分に紙あるいはセロファンなどによるテープを巻き、爪楊枝の使用後はこのテープを広げ粘着部分を割り箸などに接着することにより使用済み爪楊枝を再生可能資源として利用するための分別回収を容易にするものである。
また、上記の紙あるいはセロファンなどによるテープの爪楊枝に直接接する部分は、固定接着するものでなく、可動するものとし、爪楊枝の使用後は、テープを先端部分つまり汚れた部分にスライドすることができるものとし、使用済み爪楊枝の汚れた部分を覆い隠すことができ、割り箸などにテープ部分を巻き付けることにより割り箸と爪楊枝とを接着固定することができるものである。
【発明の効果】
【０００６】本件の発明により爪楊枝を割り箸と一体として回収することができ、その再生可能資源としての再利用と、残飯などに混入することをなくし、残飯の家畜飼料などへの再利用をも容易にするものである。
【図面の簡単な説明】
【０００７】
【図１】本発明の分別回収つまようじの使用後の概略図である。
【図２】本発明の分別回収つまようじの使用前の概略図である。
【符号の説明】
【０００８】１．つまようじ  本体部分
２．紙あるいはセロファンなどによるテープ部分
３．はし
【図１】
2005040542.tif 000003
【図２】
2005040542.tif 000004
(57)【要約】【課題】本発明は、土鍋などの鍋蓋を安全に把持し、裏返して食卓上に載置することができ又、開蓋補助も可能な多機能鍋つかみを提供するものである。【解決手段】上記課題を解決することを目的としてなされた本発明の構成は、開放部分を有する略円筒状の外周壁部と外周壁部上面から中心に向け配設した平板部からなり、外周壁部で鍋蓋の突起部又は蓋付容器の蓋を把持し、裏返して食卓上に載置又は、蓋付容器の開蓋補助も可能するようにした。【選択図】  図１
2005040643.tif 000002
【特許請求の範囲】
【請求項１】
鍋蓋の熱の伝わりを防止する鍋蓋つかみであって、開放部分を有する略円筒状の外周壁部と外周壁部上面から中心に向け配設した略逆Ｖ字型の平板部からなり、外周壁部で土鍋などの鍋蓋突起状把手部分を把持し裏返して食卓上に鍋蓋を載置することを特徴とする多機能鍋つかみ。
【請求項２】
外周壁部は様々な大きさの鍋蓋突起部分を把持するため開放部分を有する略円筒状の外周壁部周縁中央部に適宜離間し凹部を設け又は切離し、繋ぎ材にて接合し可動式とした請求項１の多機能鍋つかみ。
【請求項３】
前記鍋つかみを、鍋敷き、開蓋補助器具とした請求項１及び２の多機能鍋つかみ。
【請求項４】
前記外周壁部の外面を波型などの形状のすべり止め機構を配設した請求項１〜３の多機能鍋つかみ。
【請求項５】
前記外周壁部の断面形状を台形状、逆台形状としその外側斜辺を直線、曲線状などとした請求項１〜４のいずれかの多機能鍋つかみ。
【発明の詳細な説明】
【技術分野】
【０００１】本発明は、多機能鍋つかみに関するものである。
【背景技術】
【０００２】従来、鍋蓋つかみは種々のものがあるが、その多くは布製ミトン状のものであり例えば特開２００２−３３６１４１号公報に示される鍋つかみがある。しかしながらこの鍋つかみは断熱材を用いその上面をタオル地等の布で覆う構成でありデザイン性には優れるものの防汚、防炎性などに問題がある。【０００３】また従来のこの種の別の装置として、実登第３０８１５６３号公報に示されるものがある。この鍋つかみ兼鍋蓋置き具は上記同様ミトン式のものであり、布地が厚手であるため鍋蓋が掴みにくく滑り又、汚れやすく洗濯しずらいなどの問題がある。
【発明の開示】
【発明が解決しようとする課題】
【０００４】本発明は、前述の如き事実に鑑みなされたものであり、土鍋などの鍋蓋を安全に把持し裏返して食卓上に載置することができ又、開蓋補助も可能な多機能鍋つかみを提供しようとするものである。
【課題を解決する為の手段】
【０００５】上記課題を解決することを目的としてなされた本発明の構成は、開放部分を有する略円筒状の外周壁部と外周壁部上面から中心に向け配設した略逆Ｖ字型の平板部からなり、外周壁部で土鍋などの鍋蓋突起状把手部分又は蓋付容器の蓋部分を把持し裏返して食卓上に鍋蓋を載置又は、蓋付容器の開蓋補助をすることを特徴とする多機能鍋つかみ。
【０００６】本発明器具で様々な大きさの鍋蓋突起状把手部分を把持するため、外周壁部の開放部分を有する略円筒状の外周壁部周縁中央部に適宜離間し凹部を設け又は、繋ぎ材にて接合し可動式とした多機能鍋つかみ。
【０００７】裏返して食卓上に載置する場合の鍋蓋突起状把手部分と食卓との緩衝部又、汁受けとして外周壁部上面から中心に向け配設した略逆Ｖ字型の平板部を設ける。
【０００８】本器具は鍋蓋つかみに使用する以外に鍋敷きにも使用が可能であり又、防滑性を有するため固着した容器の蓋を開ける際の開蓋補助器具としても使用することができるなど多機能である。
【０００９】外周壁部の断面形状を矩形のほか、載置した場合の用具の安定を図るため台形状、逆台形状としその外側斜辺を直線、曲線状、階段状などとする。
【００１０】請求項４に示す外周壁部部の外面に設ける防滑部の形状は、波型、鋸型などとするものである。
【００１１】本発明器具は、シリコンゴム、エラストマー樹脂、合成ゴムなど耐熱性及び防滑性を有した弾性材料で形成する。
【発明を実施するための最良の形態】
【００１２】本発明の実施の形態を添付図面及び符号に基づいて詳細に説明する。図１は本発明の一例を示す平面図であり外周壁部１の周縁部中央部分に折り曲げのための凹部３を設け外周壁部１上部から中心に向け略逆Ｖ字型の平板部２を配設したものである。図２は図１の断面図であり鍋蓋４上に本発明器具を載置した例である。図３は裏返して食卓上に載置した一例である。図４は図２−３本器具の外周壁部の外側を曲線とし拡大した断面図である。図５は、小型の鍋蓋に使用し外周壁部１を鍋蓋に沿って折り曲げ使用する別例の平面図であり図６はその断面図である。図７は食卓上に載置した別例である。図８は外周壁部１を波型に形成した例である。【００１３】本発明における鍋蓋つかみの形状、材質は上述のものに限定されるものではないことは勿論である。
【発明の効果】
【００１４】本発明の鍋蓋つかみを使用し鍋蓋を把持する場合において、本器具を鍋蓋の突起部に合せて折り曲げ又は、広げ把持し裏返して食卓上に載置すれば外周壁部分が鍋蓋の熱を遮断し食卓上に載置する場合においても平板部２の効果により食卓に瑕跡を残さない。
【図面の簡単な説明】
【００１５】
【図１】本発明多機能鍋つかみの一例の平面図。
【図２】本発明多機能鍋つかみの一例の断面図。
【図３】本発明多機能鍋つかみの一例の断面図。
【図４】本発明多機能鍋つかみの一例の拡大平面図。
【図５】本発明多機能鍋つかみの別例の平面図。
【図６】本発明多機能鍋つかみの別例の断面図。
【図７】本発明多機能鍋つかみの別例の断面図。
【図８】本発明多機能鍋つかみの例の平面図。
【符号の説明】
【００１６】  １  外周壁部
２  平板部
３  凹部
４  鍋蓋
５  食卓面
【図１】
2005040643.tif 000003
【図２】
2005040643.tif 000004
【図３】
2005040643.tif 000005
【図４】
2005040643.tif 000006
【図５】
2005040643.tif 000007
【図６】
2005040643.tif 000008
【図７】
2005040643.tif 000009
【図８】
2005040643.tif 000010
(57)【要約】【課題】胸骨への侵襲を少なく、簡便に、迅速に胸骨にワイヤーを通し、収納ケース内でワイヤー同士が絡まない胸骨縫合用ワイヤーを提供する。【解決手段】ワイヤー中心部が太く、両端が細くなっており、ワイヤーの両先端が滴形のリング形状となっている滴形リング付き胸骨縫合用ワイヤーとした。【選択図】        図１
2005040404.tif 000002
【特許請求の範囲】
【請求項１】
心臓外科手術の胸骨閉鎖の際に用いるワイヤーであり、中心部が太く、両端が細くなっており、ワイヤーの両先端が滴形のリング形状となっていることを特徴とする滴形リング付き胸骨縫合用ワイヤー。
【請求項２】
上記滴形リング付き胸骨縫合用ワイヤーを製造する際、断面が滴形の棒の半円形部側に細いワイヤーの中心を掛け、手前に引き、両端が収束された細いワイヤーをモーターの軸に固定し、回転により撚り上げ、滴形リングを形成し、モーター軸に固定された側の断端を定尺に切断し、中心部の太いワイヤーの両端に縦方向にレーザー、放電、ドリル等によって穴を開け、撚り上げた滴形リングワイヤーの切断端部を太いワイヤーの両端に、外周を圧着固定することにより接続する請求項１記載の滴形リング付きワイヤーの製造方法。
【発明の詳細な説明】
【技術分野】
【０００１】
本発明は、心臓外科手術の胸骨閉鎖の際に用いるワイヤーに関するものである。
【背景技術】
【０００２】
胸骨縫合に用いられる材料は、ワイヤーの端部に胸骨貫通用の針が接続されているものと、ワイヤーの両端が細くなっていて、胸骨を貫通させた錐の先端に通し、引上げるタイプに大別される。両端を細くするための加工法は、特許文献１及び２等で既に提案されている。また、特許文献３では結節時に結び目を作りやすいという目的で輪を持つ手術用縫合糸が提案されており、図３において、錐を用いて胸骨を貫通させ、輪の部分をフックを用いて引上げて縫合を行う方法が示されている。特許文献４及び５ではこれらの発明を複合する形で、細くなったワイヤーの端部に針を付けることを提案している。
【０００３】
【特許文献１】特開平１０−３３５５３
【特許文献２】特開２００２−７８７１２（Ｐ２００２−７８７１２Ａ）
【特許文献３】特開２００１−１９８１３１（Ｐ２００１−１９８１３１Ａ）
【特許文献４】特開２００２−２２４１２２（Ｐ２００２−２２４１２２Ａ）
【特許文献５】特開２００３−７９６３２（Ｐ２００３−７９６３２Ａ）
【発明の開示】
【発明が解決しようとする課題】
【０００４】
ワイヤーの端部に針が接続されているタイプは、胸骨への侵襲が大きく、出血するため、止血に手間取る。骨の脆い老人の場合、骨折する場合もある。
【０００５】
錐を使用し、胸骨を貫通させるタイプは、錐の先端に穴が開いている場合、小さな穴にワイヤーを通していくことが困難で、手間取る。
【０００６】
文献３記載の輪を持つ糸の内、しなやかな糸素材を使用した場合、胸骨の裏側に出ている錐の先端に輪を持っていく操作が面倒であり、輪部分を指で支える必要から、錐先端で手を傷付ける可能性がある。金属製ワイヤーであれば、輪部分を大きめのリング形状とし、そのまま手前からアプローチできるが、この形状を真円リングとした場合、複数本のワイヤーが収納容器内で絡まり、取り出しにくい。
【課題を解決するための手段】
【０００７】
ワイヤー中心部が太く、両端が細くなっており、ワイヤーの両先端が滴形のリング形状となっていることを特徴とする滴形リング付き胸骨縫合用ワイヤーとした。
【発明の効果】
【０００８】
以上説明したように本発明によれば、針付きワイヤーを使用する時のような、胸骨への侵襲がなく、錐のフックにリングを引っ掛けるだけの簡便な操作でワイヤーを胸骨に通すことが可能で、手術時間は短縮される。収納ケースからの取り出しも容易で絡まることなく、スムーズに引き抜くことができる。
【発明を実施するための最良の形態】
【０００９】
【実施例１】
【００１０】
図１は、本発明の１実施例であって、収納ケースからの取り出しの様子を示している。ワイヤーの素材はＳＵＳ３１６Ｌ、ワイヤー中央の太い部分は直径0.8mm〜0.9mm、長さ約30cmであり、その両端に同じく素材ＳＵＳ３１６Ｌで、外径約0.45mm、長さ約20cm、請求項２記載の製造方法により撚り上げられ、先端形状が滴型リング１a、１bとなったワイヤーが接続されている。通常の心臓手術では5〜6本ワイヤーを使用するので、収納ケース３の中にワイヤー5本又は6本セットされていることが多い。通常ワイヤーの太い部分２を取り、一本ずつ引抜く。ワイヤー両端のリングが真円の場合、リング同士が入り込み合い、取り出し方向に引くと、リングの肩部分が当たり、抜きにくい。絡まり合うとリングが変形し、更に抜き取りは困難となる。リング形状を滴型にすると、肩部分が傾斜し窄まっているので、ワイヤー同士が絡まずに容易に引き抜くことができる。
【００１１】
図２はワイヤーの使用図である。先端にフックの付いた錐４で胸骨を貫通させ、胸骨内側でフックにワイヤーのリングを引っ掛け、錐を引上げる。切開された胸骨の両側で同じ操作を行い、すべてのワイヤーを胸骨に通した後、ワイヤーの太い部分で締結する。
【産業上の利用可能性】
【００１２】
胸骨縫合用ワイヤーの両端を滴形リング形状とすることによって、収納ケースに収められた複数本のワイヤーが絡まずに取り出せる。リング付きワイヤーは、フック付き錐と併用することによって、心臓外科手術における胸骨縫合を、簡便且つ迅速に行うことが可能となる。
【図面の簡単な説明】
【００１３】
【図１】滴型リング付きワイヤーの取り出しを示した説明図である。
【図２】滴型リング付きワイヤーの使用方法を示した説明図である。
【符号の説明】
【００１４】
１a、１b  滴型リング
２    ワイヤー太い部分
３    収納ケース
４    錐
【図１】
2005040404.tif 000003
【図２】
2005040404.tif 000004
(57)【要約】【課題】  従来のネットフェンス固定において固定具の締付け方法での危険性、作業能率、作業経験度等の課題を解決し、安全で高能率な作業ができるネットフェンス固定具締付け装置を提供する。【解決手段】  ネットフェンスの固定を片側から固定具を締付けができる伝動機構を用いた装置とした。【選択図】  図１
2005040937.tif 000002
【特許請求の範囲】
【請求項１】
一方向から締付けできる回転伝動機構で成形されたことを特徴とするネットフェンス固定具締付け装置である。
【発明の詳細な説明】
【発明の詳細な説明】
【産業上の利用分野】
【０００１】  本発明は、ネットフェンス固定具の締付けを安全、高能率に行うことを実現する装置に関するものである。
【従来の技術及び発明が解決しようとする課題】
【０００２】  従来は、ネットフェンスの固定具を締め付ける方法として、ネットフェンスの両側と片側からの２通りがある。両側から行う方法では、ネットフェンスの内側と外側に作業者が各側に１名づつで作業者は２名必要である。１名の作業者はネットフェンスの外側に位置しなければならず、外側の作業者は危険を伴うため安全ベルトの装着が必要である。また安全ベルトの装着や足場の確保から作業能率が悪く、安全性の問題がある。さらに単純作業に２名の作業者を使用することは、経済的損失と同時に作業者の意欲低下が生じる。また従来の片側からの作業方法では、作業者はネットの小さな網目に指を入れて作業するため作業能率が悪く作業に長時間を要することと作業方法に熟練度が必要である。
本発明では、これらの欠点を除くためになされたものである。
【課題を解決するための手段】
【０００３】  本発明は上記課題に鑑みなされたもので、その目的とするところは、片側から安全且つ短時間に作業が実現するネットフェンス固定具締付け装置を提供するものである。
【作用】
【０００４】  本発明のネットフェンス固定具締付け装置は、本体箱、駆動軸、回転体、従動軸の大部から構成されており、図１の実施例に示す構成説明図を用いてネットフェンス固定具締付け装置について説明する。
【実施例】
【０００５】  本発明のネットフェンス固定具締付け装置は図１は本発明のネットフェンス固定具締付け装置の要部を断面表示した平面図である。図中、１は本体箱、２ａは回転体、２ｂは回転体、２ｃは回転体、２ｄは回転体、２ｅは回転体、２ｆは回転体、３ａは回転軸、３ｂは回転軸、４は駆動軸、５は従動軸、６は軸回転止め、７は軸固定板である。
回転体２ａは駆動軸４に固定され、回転体２ｆは従動軸５に固定されている。回転体２ｂ及び回転体２ｃは回転軸３ａに保持され、回転体２ｄ及び回転体２ｆは回転軸３ｂに保持されている。
回転止め６は軸固定板７に固定されている。
【発明の効果】
【０００６】  本発明のネットフェンス固定具締付け装置は、片側からネットフェンス固定具を締め付けるため、安全で短時間に作業ができ高能率で経済的である。また、作業者は経験を必要とせず簡単に作業ができる。
【図面の簡単な説明】
【図１】回転体２ａ、２ｂ、２ｃ、２ｄ、２ｅ、２ｆを組み合わせた回転連動方式を用いたネットフェンス固定具締付け装置の組立図
【符号の説明】
１    本体箱          ５  従動軸
２ａ  回転体          ６  回転止め
２ｂ  回転体          ７  軸固定板
２ｃ  回転体
２ｄ  回転体
２ｅ  回転体
２ｆ  回転体
３ａ  回転軸
３ｂ  回転軸
４    駆動軸
【図１】
2005040937.tif 000003
(57)【要約】【課題】従来は、ネジのサイズによってドライバー本体を適合なものに持ち替えるかドライバーの先端を差し替えるなどしなければならない。そこで交換の手間を要しないドライバーを提供する。【解決手段】ドライバーをポータブル用アンテナ同様に伸縮構造にすること。それでドライバー先端の出し入れを容易にして本体を持ち替えることなしに全てのネジに対応させたところに特徴がある。【選択図】図１
2005040948.tif 000002
【特許請求の範囲】
【請求項１】
伸縮方式万能ドライバー
【発明の詳細な説明】
【技術分野】
【０００１】この発明は、１本で全てのねじサイズに対応する先端部分を繰り出すための機能を持たせたドライバーに関するものである。
【背景技術】
【０００２】従来、ネジの大きさに合わせた先端付け替えとか本体を持ち替える必要があった。
【発明の開示】
【発明が解決しようとする課題】
【０００３】従来品は、つぎのような問題点があった。
先端付け替えの手間が煩わしいこと。あるいはスペアの携行が、かさばること。
【課題を解決するための手段】
【０００４】サイズの違うドライバー先端を伸縮アンテナ状に収納。
適宜、必要な先端だけを使用できる様にする。
【発明の効果】
【０００５】サイズの違うドライバー先端が１本化コンパクト化するので「付け替え解消」と「携行工具の減少」が実現する。
【発明を実施するための最良の形態】
【０００６】以下、本発明の実施例について説明する。
ドライバー先端（１）と（２）を中空にする。
ドライバー先端（１）にドライバー先端（２）を挿入する。
続いて（２）の後からドライバー先端（３）も同じく挿入する。
ドライバー先端を伸縮アンテナ状に収納したら柄（４）を装着する。
そうすると外見上は従来のものと同じになって完成品となる。
なお、内蔵ドライバーの（２）と（３）に突起（５）を付ける。
（５）は不要先端を収納するときにストッパー（６）に引っ掛かけて固定する。
【実施例】
【０００７】使用にさいして収納状態であれば、ストッパー（６）を解除して突起（５）を押して必要なドライバー先端を出す。
そこでストッパーを戻せば引っ掛って固定されるから、そのまま使用する。
別のサイズが必要になればストッパー（６）を再び解除、必要部分を押し出してストッパーを掛け直せば良い。
【産業上の利用可能性】
【０００８】多くの工具を携行できない場合。
例えば、高所や狭所での作業。
持ち替えを要求される場合。
ネジ締め作業でサイズが混在していても、これ１本で済む。
ネジのサイズが不明の場合。
事前に適合ドライバーが不明でも現場にて速やかに対応できる。
【図面の簡単な説明】
【０００９】
【図１】本発明の概念的斜視図である。例示は、マイナスドライバーであるが、プラスドライバーも仕組みは同じで伸縮部分（１）（２）（３）の先端形状を変えるだけでよい。
【符号の説明】
【００１０】１  ドライバー先端大ネジ用
２  ドライバー先端中ネジ用
３  ドライバー先端小ネジ用
４  ドライバーの握り柄
５  固定および操作用突起
６  ストッパー
【図１】
2005040948.tif 000003
(57)【要約】【課題】  従来技術の難点を少なくとも部分的に対処することを目的とする。【解決手段】  エンボス加工板リングを加工温度にするための加熱手段に連結されるようになっている回転プレス機のチャックにエンボス加工板リングを締付ける方法によれば、膨張率が、上記エンボス加工板リング（２）の加工温度で上記チャック（１）およびその上の上記エンボス加工板リング（２）用の使用される材料の膨張率より高い材料で製造された割り伝達リング（３）を上記チャック（１）と上記エンボス加工板リング（２）との間に設置する。【選択図】      図１
2005040943.tif 000002
【特許請求の範囲】
【請求項１】
エンボス加工板リングをその加工温度にするための加熱手段に連結されるようになっている回転プレス機のチャックにエンボス加工板リングを締付けるための方法において、上記チャック（１）と上記エンボス加工板リング（２）との間に割り伝達リング（３）を設置し、上記リングは、上記エンボス加工板リング（２）の加工温度に対してチャック（１）上の上記エンボス加工板リング（２）の遮断を引起すために、膨張率が上記チャック（１）および上記エンボス加工板リング（２）用に使用される材料の膨張率より高い材料で製造されていることを特徴とする締付け方法。
【請求項２】
上記チャック（１）、上記割り伝達リング（３）および上記エンボス加工板リング（２）は、一方ではチャック（１）とエンボス加工板リング（２）との間、他方ではチャック（１）と割り伝達リングとの間の半径方向の熱膨張差よりも小さい周囲温度での隙間を設けるような配置で設けられていることを特徴とする請求項１に記載の締付け方法。
【請求項３】
上記チャック（１）は鋼製であり、エンボス加工板リング（２）は黄銅製であり、伝達リング（３）はアルミニウム製であることを特徴とする請求項１に記載の締付け方法。
【発明の詳細な説明】
【技術分野】
【０００１】
本発明は、エンボス加工板リングをその加工温度にするための加熱手段に連結されるようになっている回転エンボス加工プレス機のチャックにエンボス加工板リングを締付けるための方法に関する。
【背景技術】
【０００２】
エンボス加工板が留められる回転エンボス加工プレス機のチャックからの熱伝達により加熱される高温処理用のエンボス加工板を留めることは、容易には解決できない問題を引起し、この問題の公知の解決法は種々の欠点を示す。ねじでエンボス加工板を留めることは、下記の欠点がある。すなわち、ねじがチャックの壁部の中に留まってしまい、ねじで塞がれる穴がチャックの壁部を通って延びないように、チャックの壁部はオイルに循環により加熱される。しかも、このような操作は時間を要する。上記留め方法により問題を解消するには、エンボス加工板を要望位置に容易に固着することができるハニカム構造でチャックを包囲することがすでに考えられていた。
一方では、上記解決法は、ねじを除いて、エンボス加工板の留めを行なうことができるが、他方では、チャックとエンボス加工板との間の熱伝達表面を大いに縮小するかぎり、加熱されたチャックとエンボス加工板との間の熱伝達を不利にし、回転エンボス加工プレス機の容量に関係する比較的重要な欠点がある。
【発明の開示】
【発明が解決しようとする課題】
【０００３】
従って、本発明は前述の解決法が有する難点を少なくとも部分的に対処することを目的としている。
【課題を解決するための手段】
【０００４】
この目的のため、本発明は、請求項１により、エンボス加工板をその加工温度にするための加熱手段を備えている回転エンボス加工プレス機のチャックにエンボス加工板リングを締付けるための方法に関する。
本発明の利点は、主に、容易な方法によるチャックへのエンボス加工板の取付けをより容易にし、これらのエンボス加工板の留めが、加熱操作中、自動的に行われ、回転プレス機の稼動時にチャックとエンボス加工板との間の最適な熱伝達を確保すると言う点にある。
【実施例】
【０００５】
添付図面は本発明に関連された方法の実施例を概略的に例として示している。
図１は回転エンボス加工プレス機の水中チャック１を示しており、このチャック１が連結されるようになっているヒータ回路(図示せず)により生じられた加熱液体がチャック１を加熱するために回転エンボス加工プレス機に搬入される。チャックに留められるようになっているエンボス加工板はリング２のように成形されている。このエンボス加工板リング２とチャック１との間には、割り伝達リング（３）が配置されている。
拡大割合で自発的に描かれているように、教訓的な目的で、一方では、チャック１と割り伝達リング３との間に、他方では、割り伝達リング３とエンボス加工板リング２との間に、隙間４、５が設けられている。伝達リングは割り型であるので、この伝達リングとエンボス加工板２との間に隙間を設けることができる。実際には、チャック１とエンボス加工板リング２との間の全隙間は約数１００ミリメートルのものである。この隙間は３つの装置、すなわち、チャック１、割り伝達リング３およびエンボス加工板リング２用の使用材料、ならびにチャック１の直径に関係しており、この直径は代表的には１２７ｍｍないし２５４ｍｍに及ぶ。
【０００６】
留め方法の実施例によれば、チャック１は鋼製であり、エンボス加工板リング２は黄銅製であり、割り伝達リング３はアルミニウム製である。アルミニウムの膨張率は鋼および黄銅の膨張率より高く、チャック１と割り伝達リング３との間の隙間および割り伝達リング３とエンボス加工板リング２との間の隙間は不足し、チャック１へのエンボス加工板リング２の締付けを引起す。
特別な例として示すように、チャック１は１４０ｍｍの直径を有しており、割り伝達リング３は１５６ｍｍの外径を有しており、エンボス加工板リング２は１９０ｍｍの外径を有している。これらすべての間の全隙間は３００ないし５００ｍｍに及んでいる。この隙間は１５０℃の温度で消失し、その結果、約２００℃の加工温度でエンボス加工板リング２がチャック１に完全に係止される。割り伝達リング３に与えられる割り型により、チャック１を加熱するときの上記伝達リング３の円形膨張を吸収することができる。
一方では、チャック１とエンボス加工板リング２との間、他方ではチャックと割り伝達リング３との間に分布される隙間は割り伝達リング３と２つの他の部品との間の膨張差よりも小さくなければならず、かくして上記伝達リングの膨張差により上記隙間を解消し、且つチャック１へのエンボス加工板リング２の係止を確保することができる。
【０００７】
上記方法により、チャックへのエンボス加工板の組付けは異なる組付け装置間の既存の隙間に因り極めて容易である。チャック１と割り伝達リング３との間に隙間がなくても、この伝達リングが割り型であることにより、この伝達リングを容易に位置決めすることができる。しかも、これらの３つの組付け部品の締め付けにより、エンボス加工板リングと無関係に、かくして特に割り伝達リング３がアルミニウム製であるので、チャック１とエンボス加工板との間の最適な熱伝達が確保される。
【図面の簡単な説明】
【０００８】
【図１】周囲温度におけるチャックへのエンボス加工板の位置決めの横断面図である。
【図２】加工温度まで加熱された上記チャックおよび上記エンボス加工板の断面図である。
【図１】
2005040943.tif 000003
【図２】
2005040943.tif 000004
(57)【要約】【目的】コーヒーなどを内蔵し、取り付けたまま抽出できるフィルターを内蔵した、紙やスチロールカップ等の中蓋【構成】紙やスチロールカップの密閉用蓋、コーヒー等の収容部のついた中蓋、フィルターなどで構成される【選択図】  図１
2005040150.tif 000002
【特許請求の範囲】
【請求項１】
コーヒーなどを内蔵し、取り付けたまま抽出できるフィルターを内蔵した、紙やスチロールカップ等の中蓋
【発明の詳細な説明】
【０００１】
【発明が解決しようとする課題】
自動販売機でレギュラーコーヒーを販売しようとすると、保健衛生上の問題が多く、機械のコストが非常に高くなっていた。また、従来から紙コップにレギュラーコーヒーやフィルターなどをセットした商品もあり、これであれば完成商品として自動販売機でも簡単に販売できるのだが、いずれも給湯するためには一旦取り出してパッケージを破り、フィルターやコーヒーをセットする手間がかかっていた。
【０００２】
【課題を解決するための手段】
そこで、紙コップやスチロールなどのカップに取り付ける中蓋に、コーヒーなどを内蔵できるフィルターを取り付け、かつパッケージ外装がついた状態で、給湯・抽出できるシステムを考案した。中蓋の中央部にフィルターとコーヒーなどを内蔵できる空間を設けた。また、外周部には数カ所の空気穴と外部を一周する溝があり、抽出時の空気抜きとして機能するようになっている。この中蓋にコーヒー等を入れた後、密閉用蓋に溶着しさらにカップに溶着等で取り付ける。また必要があれば外装フィルムを装着する。
【０００３】
【発明の効果】
この中蓋を装着したコップと専用の給湯器具を利用すると、蓋を取らずに外装フィルムを装着したままで、給湯することが可能になる。給湯部の先端および外周の溝と接する部分に、フィルムを破断させる刃や先端のとがった給湯パイプがついており、フィルムをカットすると同時に給湯できるようになる。従って、衛生上の問題なく、入れたてのレギュラーコーヒーなどを、自動販売機で販売できるようになる。また、外周部の溝は、給湯時の空気抜きとして作用する。この結果内容物にふれることなく、清潔な自販機や給湯機器の内部で給湯することが可能になり、飲用時まで外装フィルムを破る必要がないため、移動時にもこぼれる心配なく持ち運ぶことができるようになる。
【図面の簡単な説明】
【図１】全体の構成図である。
【符号の説明】
１  外周の空気抜き用溝と空気穴
２  フィルターおよびコーヒー等の収容部
３  収容部のついた中蓋
４  紙やスチロール製などのカップ
【図１】
2005040150.tif 000003
(57)【要約】【目的】  指標となるトップを取り付けた球形や円錐形等のうき本体の側面付近からうき下の釣り糸が垂れるようになっている釣り用うきの釣り糸に取り付ける錘や釣り針の重量と均衡を保つように、該うき本体に埋め込む錘の重量を設定し、指標となるトップが垂直状態に保たれるようにし、極めて小さい魚信に対しても反応しうき本体が回転し、指標となるトップが転倒または傾斜して、魚信が確認できる遠投可能な高感度、高視認性釣り用うきを提供する。【構成】  指標となるトップ、均衡保持用錘、感度調整用錘、環付きまたは中通しの球形または円錐形のうき本体から構成される。【選択図】  図１
2005040115.tif 000002
【特許請求の範囲】
【請求項１】
指標となるトップを取り付けた中通しや環付きの球形や円錐形等うき本体の側面のほぼ中央部が魚信の作用点になるように釣り糸を通し、うき下の釣り糸に取り付ける釣り糸用錘や釣り針等の重量と均衡を保つように、該うき本体に埋め込む均衡保持用錘の埋め込み位置や重量を設定し、指標となるトップが垂直状態に保たれるようにし、魚信により釣り糸が引っ張られるとうき本体が回転し、指標となるトップが転倒または傾斜して、魚信が確認できるようにした高感度、高視認性の遠投が可能な釣り用うき。
【発明の詳細な説明】
【発明の詳細な説明】
【産業上の利用分野】
【０００１】  本発明は魚信に対して極めて高感度、高視認性の遠投が可能な魚釣り用のうきに関する。
【背景技術】
【０００２】  魚釣り用のうきの当たりはうきの浮力に打ち勝つ魚信により、うきが水中に引き込まれる速度や程度で視認されるが、魚はエサに食いついたとき、エサに抵抗があるとエサを離す習性があるので、うきによる抵抗は小さくする必要があった。また、水面に波がある場合や遠投されたうきの場合の小さい魚信の視認は困難であった。さらに、遠投する場合、飛ばしうきと当たりうきの２種類が必要になり、糸が絡まりやすくなるなど問題があった。
【発明が解決しようとする課題】
【０００３】  従来困難であった小さい魚信、波のある状態での魚信および遠投されたうきの僅かの魚信を確認することのできる高感度、高視認性の釣り用うきを提供する。すなわち、メジナ釣りの場合などのように、波で水面の揺れる状態で、遠投された場合でもうきに１０ミリメートル程度の小さい当たりでも視認できる釣り用うきを提供する。
【課題を解決するための手段】
【０００４】  指標となるトップを取り付けた球形や円錐形等のうき本体の側面付近からうき下の釣り糸が垂れるようになっている釣り用うきの釣り糸に取り付ける錘や釣り針の重量と均衡を保つように、該うき本体に埋め込む錘の重量を設定し、指標となるトップが垂直状態に保たれるようにし、魚信により釣り糸が引っ張られるとうき本体が回転し、指標となるトップが転倒または傾斜して、魚信が確認できるようにする。
【作用】
【０００５】  うき本体の錘と釣り糸に取り付けられた錘とが均衡を保っているのでうき本体のトップは垂直に立っている。魚信により釣り糸が引っ張られると、均衡が崩れ、うきは回転して、トップは倒れる。うきは天秤のように重心を支点にして均衡しているので、うきを回転させるため抵抗となるのはうきと水の摩擦抵抗のみであり、うきのトップが倒れるための釣り糸の移動距離は、うき本体の大きさにもよるが、５〜２０ミリメートル程度である。すなわち、この方式のうきは波の影響を受けにくく、極めて小さい魚信を大きな当たりとして遠方からでも確認することができる。
また、トップの長さ、うき本体の大きさや取り付ける錘の配置や重量を調整することにより、遠投を可能にし、感度を調整できる。
【実施例１】
【０００６】  図１に本発明による環付きうきの断面と釣り糸に取り付けられる釣り糸用錘の関係を示し、図２に魚信によるうきの当たりを示した。このように、魚の引きがうき本体の直径の約１／２の距離を引くだけでうき本体は回転するのと、うき本体の側面を作用点としているため、小さい魚信でもトップは転倒するので、当たりはトップの長さに拡大され遠方からでも視認可能となる。魚の食いが活発でない状況において、本発明によるうきを用いたメジナ釣りでは、魚信が極めて小さいためトップが転倒に至らない場合があるが、トップを長くすることにより遠方からの視認性を高め、トップの傾きにより魚信を確認することができた。
【実施例２】
【０００７】  図３に本発明による中通しうきの断面を示した。この場合には感度調整用錘が設けられているが、うき本体の均衡保持用錘と釣り糸に取り付ける釣り糸用錘とのバランスでは感度が鋭敏すぎる場合には感度調整用錘を設けることにより若干感度を鈍化させ、釣り糸に取り付ける錘の選択を容易にすることができる。また、この感度調整用錘は実施例１の場合にも取り付けても良い。
【発明の効果】
【０００８】本発明のうきのみで、遠投が可能で、小さい魚信が確認できる。したがって、糸が絡まりにくく、遠投され、波のある極めて悪い状況においても魚信を確認することができる。
【図面の簡単な説明】
【図１】  環付きうきの断面図
【図２】  環付きうきの魚信効果
【図３】  中通しうきの断面図
【符号の説明】
１１  うき本体
１２  トップ
１３  均衡保持用錘
１４  糸通し孔
１５  環
１６  感度調整用錘
１７  釣り糸
１８  釣り糸用錘
１９  釣り針
２０  うき止め
【図１】
2005040115.tif 000003
【図２】
2005040115.tif 000004
【図３】
2005040115.tif 000005